(57)【要約】【課題】蓄圧器を用いて強力に便器洗浄することができ、蓄圧器の配置自由度が高く、蓄圧器の容積の小型化を図ることも可能な便器洗浄装置を提供する。【解決手段】リム３へはリムノズル４を介して洗浄水が供給され、トラップ部にはジェットノズル５が設けられている。リムノズル４及びジェットノズル５のいずれにも洗浄水を供給しない非洗浄時に、蓄圧器６５に蓄水させる。蓄圧ユニット６０の電磁弁６６を開弁させることにより、蓄圧器６５からジェットノズル５へ蓄圧水が供給される。蓄圧ユニット６０は、配管５１，５２を介して便器側へ連なっている。この蓄圧ユニット６０の受光部６８へは、リモコン４０から直接にフラッシュ信号が入力される。【選択図】  図１
2004263521.tif 000002
【特許請求の範囲】
【請求項１】
洋風便器に水道水圧によって水を供給する給水手段と、
該給水手段に対し蓄圧水を供給可能な蓄圧器とを有する便器洗浄装置であって、
該洋風便器の洗浄操作用のリモコンからの信号の受信手段と、その受信信号に基づいて該蓄圧器から蓄圧水を流出させる弁手段が設けられていることを特徴とする便器洗浄装置。
【請求項２】
請求項１において、前記給水手段として、該洋風便器の便鉢のリムに給水するリム給水手段と、トラップ部に臨んだジェット孔に給水するジェット給水手段とが設けられており、
前記蓄圧器から蓄圧水が該ジェット給水手段とリム給水手段との一方に供給可能とされていることを特徴とする便器洗浄装置。
【請求項３】
請求項１又は２において、前記蓄圧器、弁手段及び受信手段が内部に配置されたケーシングを備えていることを特徴とする便器洗浄装置。
【請求項４】
請求項３において、該蓄圧器への給水接続口と該弁手段からの流出接続口とが該ケーシングから突設され、該蓄圧器、弁手段、受信手段及びケーシングが一体のユニットとなっていることを特徴とする便器洗浄装置。
【発明の詳細な説明】
【０００１】
【発明の属する技術分野】
本発明は、洋風便器に洗浄水を供給する便器洗浄装置に係り、特にロータンクやハイタンクなどのタンクを設置せず、水道水の水圧によって洗浄水を洋風便器に供給する便器洗浄装置の改良に関する。
【０００２】
【従来の技術】
従来用いられてきた洋風便器は、便器本体の後部上面にロータンクを設置し、該ロータンク内の水をリム等へ供給するロータンク式のものが多い。
【０００３】
このロータンク式洋風便器は、ロータンクの分だけ後方に出張るところから、近年、ロータンクを省略し、水道水圧によって洗浄水を給水することにより洋風便器の後方出張りを著しく小さくした洋風便器が急速に普及しつつある。この水道水圧による便器洗浄装置にあっては、便鉢内から汚物やペーパーを強力に排出するために、便器のトラップ部にジェット孔から水を噴出させてサイホン排出水流を形成するサイホンジェット式洗浄方式が採用されている。
【０００４】
ところで、水道水圧によって便器に給水する場合、水道水圧が低いと十分な水勢によって洗浄水を便器に供給することができない。この対策として、水道配管の途中に蓄圧器を設けることが特開平７−３００８９１号に記載されている。
【０００５】
【特許文献１】
特開平７−３００８９１号公報
【０００６】
【発明が解決しようとする課題】
特開平７−３００８９１号公報の洋風便器設備にあっては、洋風便器はブローアウト式洋風便器であり、洋風便器に供給される洗浄水の全量を蓄圧器によって蓄圧する必要があり、蓄圧器が大容積のものになる。また、このように大型の蓄圧器は大きな設置スペースを必要とし、蓄圧器の配置自由度が低い。
【０００７】
本発明は、小型の蓄圧器を用いても十分な排出能力を有し、また、蓄圧器の配置自由度が高い便器洗浄装置を提供することを目的とする。
【０００８】
【課題を解決するための手段】
本発明の便器洗浄装置は、洋風便器に水道水圧によって水を供給する給水手段と、該給水手段に対し蓄圧水を供給可能な蓄圧器とを有する便器洗浄装置であって、該洋風便器の洗浄操作用のリモコンからの信号の受信手段と、その受信信号に基づいて該蓄圧器から蓄圧水を流出させる弁手段が設けられていることを特徴とするものである。
【０００９】
かかる本発明の便器洗浄装置は、蓄圧器からの蓄圧水を水道水圧による給水に付加的に使用するものであり、蓄圧器の容積が小さい。また、洋風便器の洗浄操作用のリモコンからの信号の受信手段と、その受信信号に基づいて該蓄圧器から蓄圧水を流出させる弁手段が設けられているため、弁手段制御用のリード線を洋風便器から引き回す必要がなく、蓄圧器の配置自由度が高い。例えば、蓄圧器を洋風便器から離隔させて所望箇所に配置することができる。
【００１０】
本発明では、給水手段として、洋風便器の便鉢のリムに給水するリム給水手段と、トラップ部に臨んだジェット孔に給水するジェット給水手段とが設けられており、前記蓄圧器から蓄圧水が該ジェット給水手段とリム給水手段との一方に供給可能とされている構成としてもよい。このように構成した場合には、ジェット給水とリム給水との一方（好ましくは、この給水の一部）のみを蓄圧器によって蓄圧するので、蓄圧器の容積が著しく小さくて足りる。
【００１１】
本発明では、該蓄圧器、弁手段及び受信手段がケーシング内に配置されていることが好ましく、特に蓄圧器への給水接続口と該弁手段からの流出接続口とがケーシングから突設され、該蓄圧器、弁手段、受信手段及びケーシングが一体のユニットとなっていることが好ましい。
【００１２】
このように構成した場合には、該ケーシングをトイレルーム内の隅部や壁裏、天井裏、あるいはキャビネット内部などに簡単に設置することができる。
【００１３】
【発明の実施の形態】
以下、図面を参照して実施の形態について説明する。図１は実施の形態に係る便器洗浄装置を備えた洋風便器設備の斜視図、図２は蓄圧ユニットの斜視図、図３（ａ）は該洋風便器設備の内部構成図、図３（ｂ）はその電動弁ユニットの構成図、図４（ａ）は洗浄水供給流路の系統図、図４（ｂ），（ｃ）は洗浄水供給流路の給水タイミングチャートである。
【００１４】
陶器製の洋風便器１は、前部に鉢部２を備え、この鉢部２の上部内周にリム３が設けられている。このリム３へはリムノズル４を介して洗浄水が供給される。また、鉢部２のトラップ部には、該トラップ部にサイホン排出流を誘起するための水（ジェット水）を噴出するジェットノズル５が設けられている。このトラップ部は、鉢部２の底部から斜め上方に立ち上がる上昇部と、該上昇部に連なり、下方に立ち下がる立下部とを有しており、この立下部が排水管（図示略）に連なっている。このトラップ構造自体は周知のものである。
【００１５】
トイレルームの壁面には給水管の末端が突出しており、この給水管の末端に止水栓１０が取り付けられている。この止水栓１０は分岐栓（三方継手）１０Ａ及び給水ホース１１を介して洋風便器１の後部に設置されたストレーナ１２に接続されている。このストレーナ１２を通過した水は電動弁ユニット２０へ供給可能とされると共に、該ストレーナ１２から分岐した配管１３を介して人体臀部の温水洗浄装置の温水タンク（図示略）へ供給可能とされている。ストレーナ１２の下部のドレイン抜出口には、キャップ１２ａが設けられている。
【００１６】
電動弁ユニット２０は、内部に配置された弁装置２２，２３をモータ２１で駆動し、リムノズル給水配管２４又はジェットノズル給水配管２５へ水を供給する。なお、停電時にも便器を使用できるようにするために、モータ２１の回転軸に手動式の洗浄ハンドル２８が取り付けられている。この電動弁ユニット２０は、カバーケーシング（図示略）内に配置されている。
【００１７】
この電動弁ユニット２０には、リムノズル用給水配管２４内及びジェットノズル用給水配管２５内の負圧をブレークするためのバキュームブレーカ２６，２７が設けられている。このバキュームブレーカ２６，２７は、該給水配管２４又は２５内に負圧が生じたときに開弁して該給水配管２４又は２５内を大気に連通させるよう構成されている。用便（大便）後に洋風便器１に洗浄水を供給するときには、まず弁２２が所定時間開弁してリム３へ洗浄水が供給されて鉢面に付着した汚れがトラップ部へ洗い落とされる。次に、弁２３が所定時間開弁し、ジェットノズル５から水が噴出してトラップ部にサイホンが誘起され、汚水が排水管へ排出される。その後、弁２２が再度所要時間開弁し、トラップ水が貯溜される。
【００１８】
図３，４の通り、この配管２４はリムノズル４に連通し、配管２５はジェットノズル５に連通している。
【００１９】
洋風便器１の後部上面に便座ボックス３０が設置され、該便座ボックス３０に便座３１及び便蓋３２が取り付けられている。電動弁ユニット２０は、この便座ボックス３０及びその下側に連なるアンダーカバー３３内に配置されている。電動弁ユニット２０及び温水洗浄装置等の電源は、図示は省略するが、トイレルーム壁面のコンセントから電源コードを介して便座ボックス３０内に供給されている。便座ボックス３０には、リモコン４０からの信号光を受光する受光部３４及び人体検知センサ３５が設けられている。
【００２０】
リモコン４０には、温水洗浄用のスイッチのほか、大用フラッシュスイッチ４１、小用フラッシュスイッチ４２、便座３１の開閉スイッチ４３等が設けられている。
【００２１】
前記分岐栓１０Ａには、蓄圧用水を分取するための配管５１の先端が接続されている。この配管５１の後端は蓄圧ユニット６０の給水接続口６１に接続されている。
【００２２】
この蓄圧ユニット６０は、ケーシング６３内に蓄圧器６５のほか逆止弁６４及び流出用電磁弁６６と、この電磁弁６６を制御するための制御回路を搭載した回路基板（図示略）等が設置されている。この回路基板には、リモコン４０からの信号光を受光する受光素子が設置されている。この受光素子は、ケーシング６３に設けられた赤外線透過ガラスよりなる受光部６８の裏側に配置されている。
【００２３】
前記給水接続口６１は逆止弁６４に連なっている。流出用電磁弁６６には流出接続口６２が連なっている。これらの接続口６１，６２はケーシング６３に固定され、それらの接続端はケーシング６３外に突出している。この接続口６１，６２に配管５１，５２が接続される。
【００２４】
この実施の形態では、配管５１，５２は耐圧性を有したフレキホースよりなり、ワンタッチジョイント（図示略）にて接続口６１，６２に接続されている。この配管５２の末端は、図４（ａ）の通り、ジェットノズル５に接続されている。
【００２５】
図４（ａ）の通り、逆止弁６４が蓄圧器６５の導入口に連なり、流出用電磁弁６６が蓄圧器６５の流出口に連なっている。
【００２６】
この蓄圧器６５は、耐圧性外殻容器内を伸縮性の弾性隔膜によって空気蓄圧室と蓄水室とに区画した公知の構造を有している。電磁弁６６を閉とすると、分岐栓１０Ａ、配管５１を介して、水道水圧によって水が蓄圧器６５内に徐々に流入し、水道水圧（静圧）と等しい圧力の水が蓄圧器６５内に貯えられる。電磁弁６６が開とされると、この蓄圧器６５内の蓄圧水が配管５２を介してジェットノズル５へ供給される。
【００２７】
リムノズル４及びジェットノズル５のいずれにも洗浄水を供給しない非洗浄時に、電磁弁６６を閉とし、蓄圧器６５に蓄水させる。なお、水道配管からの水道水圧は、水道配管が細い場合などには、多量の吐水に伴ってかなり低い値となる。ところが、蓄圧器６５へは水が少しずつ流入するので、蓄圧器６５内に水道元圧とほぼ等しい水圧にて蓄水させることができる。この実施の形態では、水道元圧が２〜３ｋｇ／ｃｍ２程度であっても十分な排出能力を得ることができる。
【００２８】
この便器洗浄装置にあっては、蓄圧ユニット６０を洋風便器１とは離隔配置し、両者を配管５１，５２で接続しており、また、洋風便器１と蓄圧ユニット６０との間に制御用信号配線を引き回す必要がなく、蓄圧ユニット６０の配置自由度が高い。また、トイレルーム内に信号配線が露出することもなく、見栄えやトイレ清掃性が良好であると共に、蓄圧ユニット６０の設置施工も容易である。
【００２９】
次に、この便器洗浄装置の作動について図４（ｂ）を参照して説明する。リモコン４０の大フラッシュスイッチ４１を操作すると、電動弁ユニット２０は、図４（ｂ）の如く、まず弁２２を開としてリムノズル４へ所定時間水を供給し、便鉢の鉢面に付着した汚れを洗い落す。このとき、電動弁ユニット２０の配管２５用の弁２３は閉とされ、また電磁弁６６は閉となっている。
【００３０】
弁２２を閉としてリムノズル４への給水を停止した後、弁２３を開とし、配管２５を介して水道水圧の直圧によってジェットノズル５へ給水し、ジェットノズル５から比較的緩やかな水勢にて水を噴出させ、トラップ部に比較的緩やかなサイホンを誘起させ、沈殿性固形物など排出され易い汚物を水と共にトラップ部から排水管へ排出する。
【００３１】
弁２３が開弁してから所定の時間が経過すると、弁２３が閉となり、且つ電磁弁６６が開とされ、蓄圧器６５内の蓄圧水がジェットノズル５へ供給される。これにより、ジェットノズル５から高圧の蓄圧水が噴出し、トラップ部に強力なサイホン排出水流が形成される。これにより、鉢内の水面上あるいは水面付近に浮遊していたペーパーなど流れにくい固形物も速やかに排出される。
【００３２】
その後、電磁弁６６が閉弁する。次いで、電動弁ユニット２０は、所定時間だけ弁２２を開とし、リムノズル４へ給水し、便鉢底部に所要水量のトラップ水を貯留させる。なお、その後は、電磁弁６６が閉となっていることにより、蓄圧器６５に蓄圧水が徐々に貯水される。
【００３３】
このように、この実施の形態によると、蓄圧器６５の蓄圧水がジェットノズル５へ供給されることにより、強力なサイホン排出流を形成することができ、流れにくいペーパー等も確実に排出することが可能となる。
【００３４】
この実施の形態にあっては、サイホン排出初期には水道直結方式の給水のみによってジェットノズル５から水を噴出させ、流れやすい沈降性固形物を排出し、その後、流れにくいペーパー類を強力なサイホン流によって排出させるようにしているので、蓄圧器６５から供給する蓄圧水量が少なくて済み、蓄圧器６５が容積の小さいもので足りるようになる。
【００３５】
図４（ｂ）のフローチャートでは、水道水圧によるジェット噴出の後に蓄圧水によるジェット噴出を行っているが、図４（ｃ）のように、水道水圧によるジェット噴出の始動と共に蓄圧水をジェットノズル５へ供給してもよい。また、図示はしないが、水道水圧によるジェット噴出に先行して蓄圧水をジェットノズル５へ供給してもよい。
【００３６】
上記実施の形態における逆止弁６４は電磁弁であってもよい。
【００３７】
蓄圧ユニット６０の電源は商用電源であってもよく、この場合、トイレルームの壁面にあるコンセントから電源コードを介して電気が供給されてもよく、便座ボックスから電源コードを介して電気が供給されてもよい。また、電源は、電池やソーラーバッテリであってもよい。また、蓄圧器６５に流入する水で発電機を回し、この発電電力を電池に蓄えて電源としてもよい。
【００３８】
上記実施の形態ではジェットノズルに蓄圧水を供給しているが、リムに蓄圧水を供給してもよい。
【００３９】
上記実施の形態では、電磁弁をケーシング内に設けたが、このようにすれば電磁弁の耐久性が良好である。ただし、電磁弁の配置は、これに限定されるものではない。例えば、電磁弁と蓄圧器を一体化してもよく、また、電磁弁を蓄圧ユニットのケーシング部分に配置してもよい。さらに、電磁弁をケーシング外でケーシングの近傍に設けてもよい。電磁弁以外の弁が用いられてもよい。
【００４０】
【発明の効果】
以上の通り、本発明によると、水道水圧によって洋風便器を洗浄する場合に、蓄圧器を用いて強力な洗浄を行うことができると共に、この蓄圧器の配置自由度が高いものとなる。また、本発明によると、この蓄圧器の容積の小型化を図ることも可能である。
【図面の簡単な説明】
【図１】実施の形態に係る便器洗浄装置を備えた洋風便器設備の斜視図である。
【図２】蓄圧ユニットの斜視図である。
【図３】図１の便器洗浄装置の内部構成図である。
【図４】（ａ）図は洗浄水供給流路の系統図、（ｂ），（ｃ）図は洗浄水供給流路の給水タイミングチャートである。
【符号の説明】
１  洋風便器
２  鉢部
３  リム
４  リムノズル
５  ジェットノズル
１０  止水栓
１０Ａ  分岐栓
１１  給水ホース
１２  ストレーナ
２０  電動弁ユニット
３０  便座ボックス
４０  リモコン
４１，４２  フラッシュスイッチ
６０  蓄圧ユニット
６４  逆止弁
６５  蓄圧器
６６  電磁弁
【図１】
2004263521.tif 000003
【図２】
2004263521.tif 000004
【図３】
2004263521.tif 000005
【図４】
2004263521.tif 000006